【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
使用者が視認する方向を被写体方向として撮像するようにされる撮像手段と、
上記使用者の目の前方に位置するように配置され、上記撮像手段で撮像された画像の表示を行う表示手段と、
使用者の動作又は身体の状況に関する情報を取得する使用者情報取得手段と、
上記使用者情報取得手段で取得された情報に基づいて、上記撮像手段又は上記表示手段の動作を制御する制御手段と、
を備える撮像表示装置。
【請求項２】
上記制御手段は、上記使用者情報取得手段で取得された情報から、使用者の意志又は状況を判定し、判定結果に基づいて、上記撮像手段又は上記表示手段の動作を制御する請求項１に記載の撮像表示装置。
【請求項３】
上記表示手段は、透明もしくは半透明であるスルー状態と、上記撮像手段で撮像された画像の表示を行う画像表示状態とを切換可能である請求項１に記載の撮像表示装置。
【請求項４】
上記使用者情報取得手段は、使用者の頭部の動き、又は腕部の動き、又は手の動き、又は脚部の動き、又は身体全体の動きを検出するセンサである請求項１に記載の撮像表示装置。
【請求項５】
上記使用者情報取得手段は、使用者の非歩行状態と歩行状態と走行状態とを検出するセンサである請求項１に記載の撮像表示装置。
【請求項６】
上記使用者情報取得手段は、使用者の視覚情報を検出する視覚センサである請求項１に記載の撮像表示装置。
【請求項７】
上記使用者情報取得手段は、使用者の視覚情報として、使用者の視線方向、又は使用者の焦点距離、又は使用者の瞳孔の状態、又は使用者の眼底パターン、又は使用者のまぶたの動きを検出するためのセンサとされている請求項１に記載の撮像表示装置。
【請求項８】
上記使用者情報取得手段は、使用者の生体情報を検出する生体センサである請求項１に記載の撮像表示装置。
【請求項９】
上記使用者情報取得手段は、使用者の生体情報として、使用者の、心拍情報、又は脈拍情報、又は発汗情報、又は脳波情報、又は皮膚電気反応、又は血圧情報、又は体温情報、又は呼吸活動情報を検出するセンサとされている請求項１に記載の撮像表示装置。
【請求項１０】
上記使用者情報取得手段は、使用者の緊張状態もしくは興奮状態を表す情報を検出する生体センサとされている請求項１に記載の撮像表示装置。
【請求項１１】
上記使用者情報取得手段は、少なくとも視力情報を入力することのできる入力部として形成されている請求項１に記載の撮像表示装置。
【請求項１２】
上記制御手段は、上記撮像手段における撮像感度の可変制御を行う請求項１に記載の撮像表示装置。
【請求項１３】
上記制御手段は、上記撮像手段における赤外線撮像感度の可変制御を行う請求項１に記載の撮像表示装置。
【請求項１４】
上記制御手段は、上記撮像手段における紫外線撮像感度の可変制御を行う請求項１に記載の撮像表示装置。
【請求項１５】
上記表示手段は、透明もしくは半透明であるスルー状態と、上記撮像手段で撮像された画像の表示を行う画像表示状態とが切換可能とされるとともに、
上記制御手段は、上記表示手段に対して上記スルー状態と上記画像表示状態の切換制御を行う請求項１に記載の撮像表示装置。
【請求項１６】
上記制御手段は、上記表示手段における表示画像の拡大／縮小の制御を行う請求項１に記載の撮像表示装置。
【請求項１７】
上記制御手段は、上記表示手段における画面分割表示の制御を行う請求項１に記載の撮像表示装置。
【請求項１８】
上記被写体方向に対して照明を行う照明手段を更に備え、
上記制御手段は、上記使用者情報取得手段で取得された情報に基づいて、上記照明手段による照明動作の制御を行う請求項１に記載の撮像表示装置。
【請求項１９】
使用者が視認する方向を被写体方向として撮像するようにされる撮像手段と、上記使用者の目の前方に位置するように配置され上記撮像手段で撮像された画像の表示を行う表示手段とを備えた撮像表示装置の撮像表示方法として、
使用者の動作又は身体の状況に関する情報を取得する使用者情報取得ステップと、
上記使用者情報取得ステップで取得された情報に基づいて、上記撮像手段又は上記表示手段の動作を制御する制御ステップと、
を備える撮像表示方法。
【手続補正２】
【補正対象書類名】明細書
【補正対象項目名】００１２
【補正方法】変更
【補正の内容】
【００１２】
［１．撮像表示装置の外観例］
実施の形態として、図１に眼鏡型ディスプレイカメラとした撮像表示装置１の外観例を示す。撮像表示装置１は、例えば両側頭部から後頭部にかけて半周回するようなフレームの構造の装着ユニットを持ち、図のように両耳殻にかけられることでユーザに装着される。
そしてこの撮像表示装置１は、図１のような装着状態において、ユーザの両眼の直前、即ち通常の眼鏡におけるレンズが位置する場所に、左眼用と右眼用の一対の表示部２、２が配置される構成とされている。この表示部２には、例えば液晶パネルが用いられ、透過率を制御することで、図のようなスルー状態、即ち透明又は半透明の状態とできる。表示部２がスルー状態とされることで、眼鏡のようにユーザが常時装着していても、通常の生活には支障がない。
【手続補正３】
【補正対象書類名】明細書
【補正対象項目名】００２１
【補正方法】変更
【補正の内容】
【００２１】
また撮像表示装置１には、音声入力部６、音声信号処理部１６，音声出力部５が設けられる。
音声入力部６は、図１に示したマイクロホン６ａ，６ｂと、そのマイクロホン６ａ，６ｂで得られた音声信号を処理するマイクアンプ部を有して成る。
音声信号処理部１６は、例えばＡ／Ｄ変換器、デジタルシグナルプロセッサ、Ｄ／Ａ変換器などからなり、音声入力部６から供給される音声信号をデジタルデータに変換して、システムコントローラ１０の制御に応じて、音量調整、音質調整、音響エフェクト等の処理を行う。そして処理した音声信号をアナログ信号に変換して音声出力部５に供給する。なお、音声信号処理部１６は、デジタル信号処理を行う構成に限られず、アナログアンプやアナログフィルタによって信号処理を行うものでも良い。
音声出力部５は、図１に示した一対のイヤホンスピーカ５ａと、そのイヤホンスピーカ５ａに対するアンプ回路を有する。
この音声入力部６、音声信号処理部１６，音声出力部５により、ユーザは外部音声を当該撮像表示装置１を介して聞くことができる。
なお、音声出力部５は、いわゆる骨伝導スピーカとして構成されても良い。
【手続補正４】
【補正対象書類名】明細書
【補正対象項目名】００７９
【補正方法】変更
【補正の内容】
【００７９】
また、撮像表示装置１の外観や構成は図１，図２の例に限定されるものではなく、各種の変形例が考えられる。
例えば撮像部３で撮像した画像信号を記録するストレージ部や、他の機器に送信する送信部を設けてもよい。
さらには、表示部２で表示させる画像のソースとして、撮像部３に加えて、外部機器から映像を入力する入力部や受信部を設けても良い。
また、画像内における文字を認識する文字認識部と、音声合成処理を行う音声合成部を設け、撮像画像に文字が含まれている場合に、音声合成部で、その読み上げ音声の音声信号を生成し、音声出力部５から出力させるようにすることも考えられる。
また、撮像表示装置１として眼鏡型或いは頭部装着型の装着ユニットを有する例を述べたが、本発明の撮像表示装置は、ユーザの視界方向を撮像するとともに、ユーザの眼前で表示を行うことができるように構成されればよく、例えばヘッドホン型、ネックバンドタイプ、耳掛け式など、どのような装着ユニットでユーザに装着されるものであってもよい。さらには、例えば通常の眼鏡やバイザー、或いはヘッドホン等に、クリップなどの取付具で取り付けることでユーザに装着されるような形態であってもよい。